(57)【要約】  ドーム、ドーム開口部を覆って成形される頂部熱可塑性エラストマー製ボタン部材、および、基底ロック部材を有するロック式エーロゾル・ディスペンサ。回転可能な基底ロックが、本質的に回転不可能なドームに対してロック位置からロック解除位置に回転する。ドーム内の製品チャネル部材はエラストマー製ボタンによって保持され、その他の点ではドームに取着されない。基底ロックはロック解除スロット付きの起立したブリッジを有し、ディスペンサがロック解除され作動される場合、このスロット内に製品チャネル部材上の指状部が延在する。基底ロックはエーロゾル弁取付けカップに取着されない。ドームは基底ロック部材およびエーロゾル弁取付けカップに取着され、ドームは、ドームとエーロゾル容器との間に基底ロック部材を捕捉する。
2009533289.tif 000002
【特許請求の範囲】
【請求項１】
製品容器の頂部に取り付けられた取付けカップおよび弁棒付きのエーロゾル弁を有する前記製品容器上に取り付けるためのロック式エーロゾル・ディスペンサにおいて、
オン−ロック解除位置とオフ−ロック位置との間で回転可能であり、中央開口部と、側壁と、頂部周縁表面と、上向きに、前記中央開口部の上で横切って延在し、中央弁棒開口部およびそれに隣接するロック解除スロットを含むブリッジ部材とを有し、回転を容易にするように前記取付けカップから独立している、回転可能な基底ロック部材と、
前記回転可能な基底ロック部材上に取り付けられ、上向きに延在する回転不可能なドーム部材であって、前記製品容器上にロック式エーロゾル・ディスペンサを取り付けたとき前記取付けカップにドーム部材を取着するためのフランジを有し、ロック式エーロゾル・ディスペンサを前記製品容器上に取り付けたときドーム部材と前記製品容器との間で前記回転可能な基底ロック部材を捕捉する、回転不可能なドーム部材と
を組み合わせて備え、
さらに前記ドーム部材が、製品を分与するための前方位置のノズルと、下部位置の弁棒係合部分と、それらの間の製品チャネルとを有する製品チャネル部材を含み、前記製品チャネルが、前記棒係合部分から上向きに延在する起立した導管と、前記ノズルに向かって通じる導管とを含み、前記製品チャネル部材はその側壁に、前記基底ロック部材が前記オン−ロック解除位置に回転し、前記製品チャネル部材が押し下げられた場合、前記ブリッジ・ロック解除スロット内に嵌合して、前記弁を作動する側方指状拡張部を有し、前記側方指状拡張部は、前記基底ロック部材が前記オフ−ロック位置に回転したとき、前記ブリッジ部材によって妨害されて、前記製品チャネル部材の下降を防止し、
前記ドームが、前記製品チャネルの頂部に、使用者が押し下げるためのボタン部材を含む、
ロック式エーロゾル・ディスペンサ。
【請求項２】
前記ドーム部材は、前記基底ロック部材に前記ドーム部材を組み立てたとき、前記回転可能な基底ロック部材に取着される、請求項１に記載のロック式エーロゾル・ディスペンサ。
【請求項３】
前記回転可能な基底ロック部材はその頂部周縁表面に複数の円弧状頂部開口チャネルを有し、前記ドーム部材は、前記製品容器上への前記ロック式エーロゾル・ディスペンサの取付け前に組み立てたとき、前記基底ロック部材および前記ドーム部材を共に保持し、一方、相対回転を可能にするように、前記頂部開口チャネル内にスナップ嵌めされる複数の下向きに延在する突条を有する、請求項１に記載のロック式エーロゾル・ディスペンサ。
【請求項４】
前記製品チャネルの頂部における前記ボタン部材は、前記製品チャネル部材の頂部上に、かつ前記ドームの頂部の開口部を覆って、かつ前記ドームの頂部の前記開口部に隣接するドーム表面上に成形される熱可塑性エラストマー製部材である、請求項１に記載のロック式エーロゾル・ディスペンサ。
【請求項５】
前記ブリッジ部材の前記中央弁棒開口部は、前記ドームの前記製品チャネル部材を安定させ、案内する、隣接する起立した円弧状フランジを有する、請求項１に記載のロック式エーロゾル・ディスペンサ。
【請求項６】
前記ドーム部材は外部壁を有し、その底部が前記基底ロック部材の前記頂部周縁表面上に着座し、前記頂部周縁表面によって支持される、請求項１に記載のロック式エーロゾル・ディスペンサ。
【請求項７】
前記取付けカップは、前記ブリッジ部材に直接隣接し、そのオフ−ロック位置にある間、それに対して前記製品チャネル部材によって付勢される過剰な下向きの圧力に対して前記ブリッジ部材を支持する、請求項１に記載のロック式エーロゾル・ディスペンサ。
【請求項８】
前記基底ロック部材の前記側壁は、前記取付けカップから半径方向外側に間隔を隔てて配置される、請求項１に記載のロック式エーロゾル・ディスペンサ。
【請求項９】
製品容器の頂部に取り付けられた取付けカップおよび弁棒付きのエーロゾル弁を有する前記製品容器上に取り付けるためのロック式エーロゾル・ディスペンサにおいて、
オン−ロック解除位置とオフ−ロック位置との間で回転可能であり、中央開口部と、側壁と、頂部周縁表面と、前記中央開口部を横切って延在し、中央弁棒開口部およびそれに隣接するロック解除スロットを含むブリッジ部材とを有する、回転可能な基底ロック部材と、
前記回転可能な基底ロック部材上に取り付けられ、上向きに延在する回転不可能なドーム部材であって、前記製品容器上にロック式ディスペンサを取り付けたとき前記ドーム部材と前記製品容器との間で前記回転可能な基底ロック部材を捕捉する、回転不可能なドーム部材と
を組み合わせて備え、
さらに前記ドーム部材が、製品を分与するための一位置のノズルと、別の位置の棒係合部分と、それらの間の製品チャネルとを有する製品チャネル部材を含み、前記製品チャネルが、前記棒係合部分から上向きに延在する起立した導管と、前記ノズルに向かって通じる導管とを含み、前記製品チャネル部材はその側壁に、前記基底部材が前記オン−ロック解除位置に回転し、前記製品チャネル部材が押し下げられた場合、前記ブリッジ・ロック解除スロット内に嵌合して、前記弁を作動する側方指状拡張部を有し、前記側方指状拡張部は、前記基底ロック部材が前記オフ−ロック位置に回転したとき、前記ブリッジ部材によって妨害されて、前記製品チャネル部材の下降を防止し、
前記ドームが、前記製品チャネルの頂部に、使用者が押し下げるためのボタン部材を含み、前記ボタンが、前記製品チャネル部材の頂部上に、かつ前記ドームの頂部の開口部を覆って、かつ前記ドームの頂部の前記開口部に隣接するドーム表面上に成形される熱可塑性エラストマー製部材を含む、
ロック式エーロゾル・ディスペンサ。
【請求項１０】
前記ドーム部材は、前記製品容器上への前記ロック式エーロゾル・ディスペンサの取付け前に、前記ドーム部材および前記基底ロック部材を組み立てたとき、前記回転可能な基底ロック部材に取着され、一方、それらの間の相対回転を可能にする、請求項９に記載のロック式エーロゾル・ディスペンサ。
【請求項１１】
前記ディスペンサは、前記取付けカップの端部の下にスナップ嵌めされるようにフランジを有する、請求項１０に記載のロック式エーロゾル・ディスペンサ。
【請求項１２】
前記ブリッジ部材は前記中央開口部の上向きに横切って延在する、請求項９に記載のロック式エーロゾル・ディスペンサ。
【請求項１３】
前記回転可能な基底ロック部材は、回転を容易にするように前記取付けカップから独立している、請求項９に記載のロック式エーロゾル・ディスペンサ。
【請求項１４】
前記ドーム部材は、前記製品容器上への前記ディスペンサを取り付けたとき、前記取付けカップに前記ドーム部材を取着するためのフランジを有する、請求項１１に記載のロック式エーロゾル・ディスペンサ。
【請求項１５】
前記製品チャネル部材は、前記熱可塑性エラストマー製ボタン部材によることを除いて、前記ドーム部材に接続されない、請求項９に記載のロック式エーロゾル・ディスペンサ。
【請求項１６】
前記基底ロック部材は、前記ディスペンサの前記オフ位置および前記オン位置を示すための、前記ドーム上の表面凹部内に延在し回転可能な起立した周縁フランジを有する、請求項１または請求項９に記載のロック式エーロゾル・ディスペンサ。
【請求項１７】
傾斜が前記ブリッジ部材内で前記ロック解除スロットに隣接して隆起し、前記ディスペンサが前記ロック解除位置から前記ロック位置に移動するとき、前記製品チャネル部材を前記弁棒頂部に対して僅かに上昇させる、請求項１または請求項９に記載のロック式エーロゾル・ディスペンサ。
【請求項１８】
前記製品チャネル部材の動作が本質的に垂直方向である、請求項１または請求項９に記載のロック式エーロゾル・ディスペンサ。
【発明の詳細な説明】
【技術分野】
【０００１】
本発明は、しばしばスプレー・ドーム・ディスペンサ（ｓｐｒａｙ  ｄｏｍｅ  ｄｉｓｐｅｎｓｅｒ）またはアクチュエータと称されるタイプのエーロゾル・ディスペンサ（ａｅｒｏｓｏｌ  ｄｉｓｐｅｎｓｅｒ）に関する。さらに詳細には、本発明は、底部部分上に取り付けられた頂部部分を有し、この底部部分が、弁作動のための第１の作動位置と弁が作動できない第２の非作動位置との間で頂部部分に対して回転可能であるディスペンサに関する。
【背景技術】
【０００２】
従来技術のロック式エーロゾル・ディスペンサ（ｌｏｃｋｉｎｇ  ａｅｒｏｓｏｌ  ｄｉｓｐｅｎｓｅｒ）は長年にわたり存在し、多数の様々な、相互に関係する部品の構造設計を有している。これらの設計には、成形するためには複雑過ぎるものもあれば、使用者が非作動位置と作動位置との間で操作するために、望ましくないほど力を必要とするものもある。さらに他の設計は、エーロゾル弁を作動するために、望ましくないほど力を必要とする。また他の設計は漏洩問題を引き起こした。また他の設計は充分に頑丈ではなく、誤用、取扱い、出荷などによる過剰な頂部荷重のために、それらの部品および作動に損傷を受けやすい。
【発明の要約】
【０００３】
本発明は、構造において頑丈で、容易に成形および組立され、その非作動位置と作動位置との間での操作が容易であり、作動が容易であり、確実かつ効率的に機能するロック式エーロゾル・ディスペンサを提供することを目的とする。
【０００４】
本発明のロック式エーロゾル・ディスペンサは、製品容器の頂部に取付けカップおよび弁棒付きのエーロゾル弁を有するこの製品容器上への取付けを意図している。ディスペンサは、取付けカップから独立している回転可能な基底ロック部材を含み、オン−ロック解除位置（ｏｎ−ｕｎｌｏｃｋｅｄ  ｐｏｓｉｔｉｏｎ）とオフ−ロック位置（ｏｆｆ−ｌｏｃｋｅｄ  ｐｏｓｉｔｉｏｎ）との間の回転を容易にする。さらに、この基底ロック部材（ｂａｓｅ  ｌｏｃｋ  ｍｅｍｂｅｒ）は、その基底ロック部材の中央開口部の上でそれを横切って上向きに延在するブリッジを有する。ブリッジ部材は、中央開口部およびそれに隣接するロック解除スロット（ｕｎｌｏｃｋｉｎｇ  ｓｌｏｔ）を有する。
【０００５】
操作中に回転可能であることを意図しないドーム部材は、基底ロック部材の上方に延在し、取付けカップに取着し、基底ロック部材に取着し、ドームと製品容器との間に基底ロック部材を捕捉する。さらにドーム部材は製品チャネル部材を含み、この製品チャネル部材は、ドームの頂部における開口部、その開口部に隣接するドーム表面、および、製品チャネルを覆って成形される熱可塑性エラストマー製ボタン部材（ｔｈｅｒｍｏｐｌａｓｔｉｃ  ｅｌａｓｔｏｍｅｒｉｃ  ｂｕｔｔｏｎ  ｍｅｍｂｅｒ）によって、ドーム部材に接続される。製品チャネルはその反対端において弁棒と接続される。製品チャネルは、ボタン部材の弾力性のために容易に上下に動作する。
【０００６】
さらに製品チャネル部材は、側部指状拡張部またはフィン（ｓｉｄｅ  ｆｉｎｇｅｒ  ｅｘｔｅｎｓｉｏｎｓ  ｏｒ  ｆｉｎｓ）を含み、基底ロック部材がオン−ロック解除位置にある状態で、側部指状拡張部またはフィンはブリッジ・ロック・スロット（ｂｒｉｄｇｅ  ｌｏｃｋｉｎｇ  ｓｌｏｔ）内に延在して、製品チャネル部材の下降および弁棒の作動を可能にする。側部指状拡張部またはフィンは、基底ロック部材がオフ−ロック位置にある状態で、ブリッジ・ロック・スロット内に延在できず、それによって、製品チャネル部材が下降してエーロゾル弁棒を作動させるのを防止する。
【０００７】
取付けカップは、ブリッジ部材に直接隣接し、アクチュエータがそのオフ−ロック位置にある場合、頂部ボタン上の頂部荷重による過剰な下向きの圧力に対してブリッジ部材を支持する。それによってディスペンサへの損傷が回避される。
【０００８】
また、ディスペンサのオフ作動位置およびオン作動位置を視覚的に表示するための手段が提供され、これは基底ロック部材上のフランジおよびドーム部材内の凹部を含む。
【０００９】
本発明の他の特徴および利点は、以下の説明、図面および特許請求の範囲から明らかになろう。
【発明を実施するための最良の形態】
【００１０】
図１、図３および図６を参照すると、本発明のロック式エーロゾル・ディスペンサ１０が組み立てられた状態で示され、図３および図６ではエーロゾル製品容器１１の頂部上に取り付けられたディスペンサ１０が示されている。図２はロック式エーロゾル・ディスペンサ１０の分解図であり、頂部ボタン部材１２、ドーム部材１３、基底ロック部材１４およびノズル挿入部材（ｎｏｚｚｌｅ  ｉｎｓｅｒｔ  ｍｅｍｂｅｒ）１５を示す。組み立てられたエーロゾル・ディスペンサ１０がエーロゾル容器１１に取り付けられた場合、以下に説明されるように、回転可能な基底ロック部材１４は、回転不可能なドーム部材１３に対して、ロックする位置とロック解除する位置（ｕｎｌｏｃｋｉｎｇ  ｐｏｓｉｔｉｏｎ）との間で回転可能である。ディスペンサ１０がロック解除された場合のみ、製品は容器１１から分与可能である。
【００１１】
ドーム部材１３は、以下に説明するように、頂部ボタン部材１２が施される前に頂部開口部１６を含み、さらに製品チャネル部材１７を含み、この製品チャネル部材１７はドーム部材１３内部でその頂部に向かって上向きに、次いで、ノズル１８までドーム部材１３内で外側方向に延在する。製品チャネル部材１７（図１３も参照）は頂部表面１９、ノズル１８および正面プレート２０を含む。製品チャネル部材１７の底端部はエーロゾル容器１１のエーロゾル弁棒上に取り付けられる。初めに、製品チャネル部材１７はドーム１３とともに成形され、脆いタブ２２および２３によってドーム１３に取着されてよく、この脆いタブ２２および２３は、エーロゾル・ディスペンサが最初に組み立てられるとき、または、最初に消費者に使用されるときに破断する。
【００１２】
図１から図４を参照すると、頂部ボタン部材１２は柔軟な熱可塑性エラストマー（例えばサントプレン（Ｓａｎｔｏｐｒｅｎｅ））であり、これは硬質プラスチック（例えばポリプロピレン）のドーム部材１３上にオーバーモールドされて（ｏｖｅｒｍｏｌｄｅｄ）、ボタン部材１２を作成する。従来のオーバーモールドによって形成された場合、ボタン部材１２はドーム１３の頂部孔１６を覆い、オーバーモールド（ｏｖｅｒｍｏｌｄｉｎｇ）により製品チャネル部材１７の頂部表面１９にしっかり固着し、頂部孔１６を囲むドーム１３の頂部表面上に延出して、しっかり固着する。図示のように、ドーム１３表面上に張り出してオーバーモールドされたボタン部材１２の側部は装飾用フレア２１として例示されているが、このような装飾の任意の特定の形状は本発明の一部ではない。製品チャネル部材１７は、脆いタブ２２、２３が破断された後、ボタン部材１２の上記の固着によってのみドーム１３内に配置および支持され、その他の点ではドームに取着されない。製品チャネル部材１７を覆うボタン部材１２の頂部は、形成されると、ドーム頂部孔１６上に重なる範囲において、熱可塑性エラストマーの特有の弾力性のために、ディスペンサの使用者によって下向きに押圧可能である。以下に説明するように、ディスペンサがロック解除する位置にある場合、ボタン部材１２の下向きの押圧は、ドーム内の製品チャネル部材１７を、その正面プレート２０およびノズル１８を含めて、下降させて、エーロゾル弁を作動する。弁の作動の結果、容器１１内の製品が上向きおよび外側方向に製品チャネル部材１７を通過して、そのノズル１８から出る。製品チャネル部材１７は、本質的に垂直方向にのみ動作し、したがって、エーロゾル弁を作動させるためにあまり力を必要とせず、弁棒への過度の圧力を回避する。
【００１３】
回転可能な基底ロック部材１４は、ロック式エーロゾル・ディスペンサ１０が組み立てられ、容器に取り付けられた場合、ドーム部材１３と容器１１との間に捕捉される。基底ロック部材１４は、その他の点では、容器１１または容器のエーロゾル弁取付けカップに取着されない。また、基底ロック部材１４の側壁は、取付けカップから半径方向外側に間隔を隔てて配置され、それによって基底ロック部材１４は容易に回転する。図２および図１０に具体的に示すように、基底ロック部材１４は中央開口部３０、側壁３１、頂部周縁表面３２およびブリッジ部材３３を有する。ブリッジ部材３３は、周縁表面３２から上向きに、かつ、中央開口部３０の上で横切って延在する。さらにブリッジ３３は、エーロゾル弁棒および製品チャネル部材のための中央開口部３４、ならびに、中央開口部３４に隣接して配置されるロック解除スロット３５および３６を有する。中央開口部３４に隣接する起立した円弧状フランジ（ｕｐｓｔａｎｄｉｎｇ  ａｒｃｕａｔｅ  ｆｌａｎｇｅ）３７および３８が、ドーム１３内で製品チャネル部材１７の底部を安定させ、案内するように機能する。基底ロック部材の頂部周縁表面３２上の円弧状頂部開口（ａｒｃｕａｔｅ  ｏｐｅｎ−ｔｏｐｐｅｄ  ｃｈａｎｎｅｌ）チャネル３９および４０は、エーロゾル・ディスペンサ１０が製品充填者または製品販売者によって容器１１上に取り付けられる前に、取扱いおよび輸送のために基底ロック部材１４にドーム部材１３を組み立てたとき、それらを取着するのに役立つ。
【００１４】
図５および図８を参照すると、ドーム部材１３は、複数の内側の下向きに延在する突条５０を含み、突条５０は基底ロック部材１４の頂部開口チャネル３９および４０内に延在する。特定の一実施形態では、このような円周方向に間隔を隔てて配置された３つの突条５０が、チャネル３９内に延在し、このような円周方向に間隔を隔てて配置された他の３つの突条５０がチャネル４０内に延在する。各チャネル３９および４０内のこのような突条のうち少なくとも１つが、その端部に、チャネル３９および４０内に沿って延在する壁面突起（ｗａｌｌ  ｐｒｏｔｒｕｓｉｏｎ）４１および４２を通過して、スナップ嵌めされる尖端部５２を有する。それによって、容器１１上へのロック式エーロゾル・ディスペンサ１０の取付けに先立って、取扱いおよび輸送のために、ドーム部材１３は基底ロック部材１４に組み立ておよび固定される。また、基底ロック部材の円弧状チャネル（ａｒｃｕａｔｅ  ｃｈａｎｎｅｌｓ）３９および４０内に延在する、複数の円周方向に間隔を隔てて配置された、ドームの突条５０は、基底ロック１４上にドーム１３を適切に位置合わせし、配置するのを補助する。基底ロック部材１４が、その中央垂直軸の周りを、上方に重なるドーム部材１３に対して回転したとき、複数の突条５０はチャネル３９および４０内で沿って摺動する。また、組み立てたとき、ドーム部材１３の底部６０が基底ロック部材１４の頂部周縁表面３２上に着座してよい。
【００１５】
ここで図５、図７、図８および図９を参照すると、ドーム部材１３は内側フランジ６５を有し、図８および図９に示すように、この内側フランジ６５は、弁棒７４を有する従来のエーロゾル弁７２の従来の取付けカップ７１の端部７０の下にスナップ嵌めされるように機能する。図示を簡単にするために、図８および図９は、実際に行われるような容器１１のビード７３上への通常の密封ガスケットによる取付けおよび圧着が、完全になされていない取付けカップ７１を示す。したがって、本発明のロック式エーロゾル・ディスペンサが使用のために容器１１上に取り付けられた場合、ドーム部材１３は取付けカップ７１に取着され、ドーム１３と容器１１との間に基底ロック部材１４を捕捉する。上記のように、ドーム部材１３は、取付けカップの端部の下にしっかりとスナップ嵌めされ、アクチュエータをロックおよびロック解除する際、使用者によって回転させることを意図していないという意味で、組立体においては本質的に回転不可能である。ディスペンサがロックする位置とロックされない位置との間で操作される場合、使用者の手によって容易に回転できるのは基底ロック部材１４である。
【００１６】
さらに図８、図９および図１３を参照すると、ドーム１３の製品チャネル部材１７は、エーロゾル弁棒７４を覆って嵌合する底部部分８０を含む。ノズル１８まで通じる、上向きに延在する製品導管８１および外側方向に延在する製品導管８２が製品チャネル部材１７内に収容される。図２、図７、図９、図１１、図１２、および図１３で最もよく分かるように、製品チャネル部材１７はその側壁に、その起立した部分８３に沿って側方指状拡張部（フィン）８４および８５を有する。側方指状拡張部８４および８５は、基底ロック部材１４がロック解除位置まで回転したとき、基底ロック部材１４上のブリッジ３３のスロット３６および３５内に延在できる（図１１参照）。基底ロック部材１４が回転してロック解除位置から外れた場合、側方指状拡張部８４および８５は、スロット３６、３５内にもはや延在できない（図１２参照）。
【００１７】
表示手段がロック式エーロゾル・ディスペンサ１０に設けられて、ディスペンサのオン−ロック解除位置およびオフ−ロック位置を使用者に表示する。図２、図６および図７を参照すると、基底ロック部材１４は起立したフランジ９０を有し、ドーム部材１３は表面凹部９１を有し、この表面凹部９１内にフランジ９０が延在する。表面凹部９１は、その上に刷り込まれた単語「オン（ＯＮ）」および「オフ（ＯＦＦ）」（または他の表示）を有する。基底ロック部材１４が回転したとき、そのフランジ９０は単語「オン」または単語「オフ」のいずれかを覆い隠して、使用者にエーロゾル・ディスペンサ１０の操作可能な状態を表示する。「オフ」位置まで回転したとき、フランジ９０の端部９２が、凹部９１の端部９３に当突して、基底ロック部材１４のさらなる回転を停止させ、単語「オフ」を示す。反対方向に「オン」位置まで回転したとき、フランジ９０の端部９４が、凹部９１の端部９５に当突して、基底ロック部材１４のさらなる回転を停止させ、単語「オン」を示す。
【００１８】
ここでロック式エーロゾル・ディスペンサ１０の操作に目を向けると、基底ロック部材１４がオン−ロック解除位置までその垂直軸の周りを回転したとき、製品チャネル部材１７の側部指状拡張部８４、８５はブリッジ３３内のスロット３６、３５の上に重なる（図１１参照）。この位置で、ディスペンサの頂部ボタン部材１２は使用者によって押圧され、取着された製品チャネル部材１７を下降させることができる。頂部ボタン・エラストマーはこの過程で延伸される。次いで、指状拡張部８４、８５はスロット３６、３５内に下向きに延出し、製品チャネル部材１７の底部部分８０はブリッジ３３の頂部において開口部３４内に下向きに延出する。したがって、従来の方式で、弁棒７４は、製品チャネル部材１７によって同時に同様に下降されて、エーロゾル弁７２を作動し、それによって容器１１内の製品を製品チャネル部材１７の導管８１および８２を通して上向きに送り、ディスペンサのノズル１８から出す。頂部ボタン部材１２が利用者によって解放された場合、エーロゾル弁７２の従来の弁バネ（図示せず）は、頂部ボタン部材エラストマーの収縮とともに、非作動位置（ｕｎａｃｔｕａｔｅｄ  ｐｏｓｉｔｉｏｎ）まで弁棒７４を押し上げ、またそれによって製品チャネル部材の下部８０および指状拡張部８４、８５をそれぞれブリッジの中央開口部３４およびブリッジ・スロット３６、３５から上向きに外側へ戻す。ここで基底ロック部材１４はディスペンサのオフ−ロック位置まで回転できる。この位置で、図１２に示すように、指状拡張部８４および８５はスロット３６、３５に、もはや重なっていない。頂部ボタン部材１２上への押圧によってディスペンサを作動しようと試みても、指状拡張部８４および８５がブリッジ３３の頂部表面４５に接し、エーロゾル弁の前述の作動を引き起こす何らかのさらなる下降を防止することになるだけである。エーロゾル弁は、指状拡張部８４、８５がブリッジ・スロット（ｂｒｉｄｇｅ  ｓｌｏｔ）３６、３５内に降りて通過できる場合のみ、作動可能である。
【００１９】
通常よりも高く移動する弁棒を有するエーロゾル弁に本発明を使用する場合、ディスペンサがロック解除位置からロック位置に配置されるとき、製品チャネル部材を弁棒の頂部に対して僅かに上昇させることが望ましい。そうすることによって、製品チャネル受け口（ｐｒｏｄｕｃｔ  ｃｈａｎｎｅｌ  ｓｏｃｋｅｔ）が、弁棒の頂部に対して完全に着座して、弁棒の頂部を下降させる前に、さらなる下向きの移動距離を有するので、ロック位置での頂部ボタン部材１２に対する押圧は、弁を動作させる任意の可能性を不注意に提供しない。この僅かな上昇を達成する一手段は、好都合であると考えられるなら、図１０に点線で示すように傾斜１００、１０１を配置することである。傾斜１００は、スロット３６に隣接するブリッジ３３の頂部表面４５と同面に始まり、延出するに従い僅かに上向きに隆起し、フランジ３８に接する。同様に傾斜１０１は、スロット３５に隣接するブリッジ３３の頂部表面４５と同面に始まり、延出するに従い僅かに上向きに隆起して、フランジ３７に接する。したがって、弁の作動が終了した後、基底ロック部材１４がロック解除位置からロック位置に回転したとき、指状部（ｆｉｎｇｅｒ）８４、８５は傾斜１００、１０１に乗り上げ、したがって製品チャネル部材１７を弁棒の頂部に対して僅かに上昇させる。
【００２０】
ブリッジ部材３３の頂部は、ディスペンサが組み立てられた状態では、台座部分７５を含む取付けカップ７１の頂部の上方に僅かだけ間隔を隔てて配置される。したがって、ディスペンサがオフ−ロック位置にある場合、任意の理由（取扱い、誤操作、輸送など）による過剰な押圧が頂部ボタン部材１２上に掛かるとき、ブリッジ３３は潰れず、ディスペンサへの損傷は防止される。それによって、とても頑丈なディスペンサの構造が提供される。
【００２１】
本発明の追加の特徴は、従来の可聴クリック音用の形状（ａｕｄｉｂｌｅ  ｃｌｉｃｋ  ｆｅａｔｕｒｅ）（図示せず）を含んでよく、それによって、回転可能な基底ロック部材１４上の突条が、固定されたドーム部材１３上の突条に対してクリック音を発生して、ディスペンサの相対的な作動位置を使用者に可聴的に示す。さらに、ブリッジ３３内の円弧状頂部開口チャネル３９、４０の１つまたは両方は、ディスペンサがだれかのハンドバッグまたは鞄の中にある場合、誤ってディスペンサがオフ位置からオン位置に容易に切り替わることを防止するように、基底ロック部材１４がそのオフ位置からオン位置に回転するときに、ドームの下向きに延在する突条５０に僅かに干渉する小さいくぼみ（図示せず）を含むことができる。
【００２２】
上記に説明された本発明の多くの形状は全体として、容易に製造および組立され、消費者にとって確実に、効率的に、容易に機能する、独特な、簡単な、頑丈なロック式エーロゾル・ディスペンサを規定する。
【００２３】
本発明の精神および範囲から逸脱せずに、変更および／または修正を本発明に加えることができることは、当業者には理解されるであろう。したがって、本実施形態は例示的なものであり、制限的なものではないとみなすべきである。また、本明細書内で使用される位置の用語は、図面に示されている配置に関連して使用および意図されており、その他の点では制限的であることを意図されていないことを理解されたい。
【図面の簡単な説明】
【００２４】
【図１】本発明のロック式エーロゾル・ディスペンサの斜視図である。
【図２】本発明のドーム部材、熱可塑性エラストマー製ボタン部材および基底ロック部材（ｂａｓｅ  ｌｏｃｋｉｎｇ  ｍｅｍｂｅｒ）を示す図１の分解図である。
【図３】エーロゾル容器の頂部上に取付けられた本発明のロック式エーロゾル・ディスペンサの側面図である。
【図４】本発明のロック式エーロゾル・ディスペンサの頂部平面図である。
【図５】図４の線５−５に沿った断面図である。
【図６】エーロゾル容器の頂部上に取付けられた本発明のロック式エーロゾル・ディスペンサの背面図である。
【図７】図４の線７−７に沿った断面図である。
【図８】エーロゾル容器の頂部に従来の方式で取り付けられたエーロゾル弁の取付けカップおよび弁棒を断面で追加的に示す、図５にちょうど相当する図面である。
【図９】エーロゾル容器の頂部に従来の方式で取り付けられたエーロゾル弁の取付けカップおよび弁棒を断面で追加的に示す、図６の線９−９に沿った断面図である。
【図１０】本発明の基底ロック部材の頭上からの平面図である。
【図１１】オン−ロック解除位置にあるロック式エーロゾル・ディスペンサを示す、図６の線１１−１１に沿った断面図である。
【図１２】オフ−ロック位置にあるロック式エーロゾル・ディスペンサを示す、図６の線１２―１２に沿った断面図である。
【図１３】本発明の製品チャネル部材の側面図である。
【図１】
2009533289.tif 000003
【図２】
2009533289.tif 000004
【図３】
2009533289.tif 000005
【図４】
2009533289.tif 000006
【図５】
2009533289.tif 000007
【図６】
2009533289.tif 000008
【図７】
2009533289.tif 000009
【図８】
2009533289.tif 000010
【図９】
2009533289.tif 000011
【図１０】
2009533289.tif 000012
【図１１】
2009533289.tif 000013
【図１２】
2009533289.tif 000014
【図１３】
2009533289.tif 000015
【国際調査報告】
2009533289.tif 000016